(57)【要約】  本明細書では、オフを示すクローズドサブスクライバグループインジケータを有するセルラネットワーク基地局を動作させる装置、方法及びコンピュータプログラムを開示する。セルラネットワーク基地局は、ユーザ機器が現在位置する場所におけるローカルサービスエリアネットワークの利用可能性を示す情報をユーザ機器へ送信する。【選択図】図４
2011504716.tif 000002
【特許請求の範囲】
【請求項１】
オフを示すクローズドサブスクライバグループインジケータを有するセルラネットワーク基地局を動作させるステップと、
ユーザ機器が現在位置する場所におけるローカルサービスエリアネットワークの利用可能性を示す情報を前記ユーザ機器へ送信するステップと、
を含むことを特徴とする方法。
【請求項２】
前記ユーザ機器へ情報を送信するステップが、
（ａ）トラッキングエリア更新手順、
（ｂ）アイドル状態からアクティブ状態への遷移手順、又は、
（ｃ）基地局間ハンドオーバ手順、
の１つを使用して行われる、
ことを特徴とする請求項１に記載の方法。
【請求項３】
前記ローカルサービスエリアネットワークが、前記ユーザ機器が前記ローカルサービスエリアネットワークのローカルサーバとの間でデータをやりとりするためのインターネットプロトコルブレイクアウトサービス、又は前記ユーザ機器が前記インターネットを介して到達可能な遠隔サーバとの間でデータをやりとりするためのインターネットプロトコルブレイクアウトサービスの少なくとも一方を提供する、
ことを特徴とする請求項１又は請求項２に記載の方法。
【請求項４】
前記セルラネットワーク基地局を動作させるステップが、前記ローカルサービスエリアネットワークの基地局と同じキャリア周波数、又は前記ローカルサービスエリアネットワークの基地局とは異なるキャリア周波数のいずれかで行われる、
ことを特徴とする請求項１から請求項３のいずれかに記載の方法。
【請求項５】
前記ローカルサービスエリアネットワークが、少なくともコストを削減したコーリングサービスを前記ユーザ機器に提供する、
ことを特徴とする請求項１から請求項４のいずれかに記載の方法。
【請求項６】
オフを示すクローズドサブスクライバグループインジケータを有するセルラネットワーク基地局を動作させるステップと、
ユーザ機器が現在位置する場所におけるローカルサービスエリアネットワークの利用可能性を示す情報を前記ユーザ機器へ送信するステップと、
を含む動作を実行すべくプロセッサにより実行可能なコンピュータプログラムによって符号化されたコンピュータ可読媒体。
【請求項７】
前記ユーザ機器へ情報を送信するステップが、
（ａ）トラッキングエリア更新手順、
（ｂ）アイドル状態からアクティブ状態への遷移手順、又は、
（ｃ）基地局間ハンドオーバ手順、
の１つを使用して行われる、
ことを特徴とする請求項６のコンピュータプログラムによって符号化されたコンピュータ可読媒体。
【請求項８】
前記ローカルサービスエリアネットワークが、前記ユーザ機器が前記ローカルサービスエリアネットワークのローカルサーバとの間でデータをやりとりするためのインターネットプロトコルブレイクアウトサービス、又は前記ユーザ機器が前記インターネットを介して到達可能な遠隔サーバとの間でデータをやりとりするためのインターネットプロトコルブレイクアウトサービスの少なくとも一方を提供する、
ことを特徴とする請求項６又は請求項７に記載のコンピュータプログラムによって符号化されたコンピュータ可読媒体。
【請求項９】
前記セルラネットワーク基地局を動作させるステップが、前記ローカルサービスエリアネットワークの基地局と同じキャリア周波数、又は前記ローカルサービスエリアネットワークの基地局とは異なるキャリア周波数のいずれかで行われる、
ことを特徴とする請求項６から請求項８のいずれかに記載のコンピュータプログラムによって符号化されたコンピュータ可読媒体。
【請求項１０】
前記ローカルサービスエリアネットワークが、少なくともコストを削減したコーリングサービスを前記ユーザ機器に提供する、
ことを特徴とする請求項６から請求項９のいずれかに記載のコンピュータプログラムによって符号化されたコンピュータ可読媒体。
【請求項１１】
オフを示すクローズドサブスクライバグループインジケータを有するセルラネットワーク基地局を動作させるように構成されたコントローラと、
ユーザ機器が現在位置する場所におけるローカルサービスエリアネットワークの利用可能性を示す情報を前記ユーザ機器へ送信するように構成された送信機と、
を備えることを特徴とする装置。
【請求項１２】
前記送信機が、
（ａ）トラッキングエリア更新手順、
（ｂ）アイドル状態からアクティブ状態への遷移手順、又は、
（ｃ）基地局間ハンドオーバ手順、
の１つを使用して前記ユーザ機器へ情報を送信する、
ことを特徴とする請求項１１に記載の装置。
【請求項１３】
前記ローカルサービスエリアネットワークが、前記ユーザ機器が前記ローカルサービスエリアネットワークのローカルサーバとの間でデータをやりとりするためのインターネットプロトコルブレイクアウトサービス、又は前記ユーザ機器が前記インターネットを介して到達可能な遠隔サーバとの間でデータをやりとりするためのインターネットプロトコルブレイクアウトサービスの少なくとも一方を提供する、
ことを特徴とする請求項１１又は請求項１２に記載の装置。
【請求項１４】
前記コントローラが、前記ローカルサービスエリアネットワークの基地局と同じキャリア周波数、又は前記ローカルサービスエリアネットワークの基地局とは異なるキャリア周波数のいずれかで前記セルラネットワーク基地局を動作させる、
ことを特徴とする請求項１１から１３のいずれかに記載の装置。
【請求項１５】
前記ローカルサービスエリアネットワークが、少なくともコストを削減したコーリングサービスを前記ユーザ機器に提供する、
ことを特徴とする請求項１１から請求項１４のいずれかに記載の装置。
【請求項１６】
オフを示すクローズドサブスクライバグループシグナリングインジケータを有するセルラネットワーク基地局からの、前記ユーザ機器が現在位置する場所におけるローカルサービスエリアネットワークの利用可能性を示す情報をユーザ機器で受信するステップと、
前記ユーザ機器が、前記ローカルサービスエリアネットワークの運営者に登録したいと思っていることを示す情報を前記ローカルサービスエリアネットワークの運営者へ送信するステップと、
を含むことを特徴とする方法。
【請求項１７】
前記情報を受信するステップが、
（ａ）トラッキングエリア更新手順、
（ｂ）アイドル状態からアクティブ状態への遷移手順、又は、
（ｃ）基地局間ハンドオーバ手順、
の１つの最中に行われる、
ことを特徴とする請求項１６に記載の方法。
【請求項１８】
前記ローカルサービスエリアネットワークが、前記ユーザ機器が前記ローカルサービスエリアネットワークのローカルサーバとの間でデータをやりとりするためのインターネットプロトコルブレイクアウトサービス、又は前記ユーザ機器が前記インターネットを介して到達可能な遠隔サーバとの間でデータをやりとりするためのインターネットプロトコルブレイクアウトサービスの少なくとも一方を提供する、
ことを特徴とする請求項１６又は請求項１７に記載の方法。
【請求項１９】
前記ローカルサービスエリアネットワークが、少なくともコストを削減したコーリングサービスを前記ユーザ機器に提供する、
ことを特徴とする請求項１６から請求項１８のいずれかに記載の方法。
【請求項２０】
前記ユーザ機器が、前記セルラネットワーク基地局と同じキャリア又は異なるキャリアのいずれかを有する前記ローカルサービスエリアネットワークの基地局を使用して動作する、
ことを特徴とする請求項１６から請求項１９のいずれかに記載の方法。
【請求項２１】
前記情報が、ショートメッセージサービスメッセージを使用して前記ローカルサービスエリアネットワークの運営者へ送信される、
ことを特徴とする請求項１６から請求項２０のいずれかに記載の方法。
【請求項２２】
オフを示すクローズドサブスクライバグループシグナリングビットインジケータを有するセルラネットワーク基地局からの、前記ユーザ機器が現在位置する場所におけるローカルサービスエリアネットワークの利用可能性を示す情報をユーザ機器で受信するステップと、
前記ユーザ機器が、前記ローカルサービスエリアネットワークの運営者に登録したいと思っていることを示す情報を前記ローカルサービスエリアネットワークの運営者へ送信するステップと、
を含む動作を実行すべくプロセッサにより実行可能なコンピュータプログラムによって符号化されたコンピュータ可読媒体。
【請求項２３】
前記情報を受信するステップが、
（ａ）トラッキングエリア更新手順、
（ｂ）アイドル状態からアクティブ状態への遷移手順、又は、
（ｃ）基地局間ハンドオーバ手順、
の１つの最中に行われる、
ことを特徴とする請求項２２に記載のコンピュータプログラムによって符号化されたコンピュータ可読媒体。
【請求項２４】
前記ローカルサービスエリアネットワークが、前記ユーザ機器が前記ローカルサービスエリアネットワークのローカルサーバとの間でデータをやりとりするためのインターネットプロトコルブレイクアウトサービス、又は前記ユーザ機器が前記インターネットを介して到達可能な遠隔サーバとの間でデータをやりとりするためのインターネットプロトコルブレイクアウトサービスの少なくとも一方を提供する、
ことを特徴とする請求項２２又は請求項２３に記載のコンピュータプログラムによって符号化されたコンピュータ可読媒体。
【請求項２５】
前記ローカルサービスエリアネットワークが、少なくともコストを削減したコーリングサービスを前記ユーザ機器に提供する、
ことを特徴とする請求項２２から請求項２４のいずれかに記載のコンピュータプログラムによって符号化されたコンピュータ可読媒体。
【請求項２６】
前記ユーザ機器が、前記セルラネットワーク基地局と同じキャリア又は異なるキャリアのいずれかを有する前記ローカルサービスエリアネットワークの基地局を使用して動作する、
ことを特徴とする請求項２２から請求項２５のいずれかに記載のコンピュータプログラムによって符号化されたコンピュータ可読媒体。
【請求項２７】
前記情報が、ショートメッセージサービスメッセージを使用して前記ローカルサービスエリアネットワークの運営者へ送信される、
ことを特徴とする請求項２２から請求項２６のいずれかに記載のコンピュータプログラムによって符号化されたコンピュータ可読媒体。
【請求項２８】
オフを示すクローズドサブスクライバグループシグナリングインジケータを有するセルラネットワーク基地局からの、前記ユーザ機器が現在位置する場所におけるローカルサービスエリアネットワークの利用可能性を示す情報をユーザ機器で受信するように構成された受信機と、
前記ユーザ機器が、前記ローカルサービスエリアネットワークの運営者に登録したいと思っていることを示す情報を前記ローカルサービスエリアネットワークの運営者へ送信するように構成された送信機と、
を備えることを特徴とする装置。
【請求項２９】
前記受信機が前記情報を、
（ａ）トラッキングエリア更新手順、
（ｂ）アイドル状態からアクティブ状態への遷移手順、又は、
（ｃ）基地局間ハンドオーバ手順、
の１つの最中に受信する、
ことを特徴とする請求項２８の記載の装置。
【請求項３０】
前記ローカルサービスエリアネットワークが、前記ユーザ機器が前記ローカルサービスエリアネットワークのローカルサーバとの間でデータをやりとりするためのインターネットプロトコルブレイクアウトサービス、又は前記ユーザ機器が前記インターネットを介して到達可能な遠隔サーバとの間でデータをやりとりするためのインターネットプロトコルブレイクアウトサービスの少なくとも一方を提供する、
ことを特徴とする請求項２８又は請求項２９に記載の装置。
【請求項３１】
前記ローカルサービスエリアネットワークが、少なくともコストを削減したコーリングサービスを前記ユーザ機器に提供する、
ことを特徴とする請求項２８から請求項３０のいずれかに記載の装置。
【請求項３２】
前記セルラネットワーク基地局と同じキャリア又は異なるキャリアのいずれかを有する前記ローカルサービスエリアネットワークの基地局を使用して動作するように構成されたコントローラをさらに備える、
ことを特徴とする請求項２８から請求項３１のいずれかに記載の装置。
【請求項３３】
前記送信機が、前記情報をショートメッセージサービスメッセージで送信する、
ことを特徴とする請求項２８から請求項３２のいずれかに記載の装置。
【請求項３４】
オフを示すクローズドサブスクライバグループインジケータを有する基地局からのネットワーク利用可能性を示す情報を受信したユーザ機器からの、該ユーザ機器を前記ローカルサービスエリアネットワーク内に登録するためのメッセージによる要求をローカルサービスエリアネットワークにおいて受信するステップと、
ローカルデータベース、及びポータルを介して通信されるセルラネットワーク運営者のデータベースを使用して前記ユーザ機器を認証するステップと、
を含むことを特徴とする方法。
【請求項３５】
前記ローカルサービスエリアネットワークが、前記ユーザ機器が前記ローカルサービスエリアネットワークのローカルサーバとの間でデータをやりとりするためのインターネットプロトコルブレイクアウトサービス、又は前記ユーザ機器が前記インターネットを介して到達可能な遠隔サーバとの間でデータをやりとりするためのインターネットプロトコルブレイクアウトサービスの少なくとも一方を提供する、
ことを特徴とする請求項３４に記載の方法。
【請求項３６】
前記ローカルサービスエリアネットワークが、少なくともコストを削減したコーリングサービスを前記ユーザ機器に提供する、
ことを特徴とする請求項３４又は請求項３５に記載の方法。
【請求項３７】
前記要求がショートメッセージサービスメッセージで受信される、
ことを特徴とする請求項３４から請求項３６のいずれかに記載の方法。
【請求項３８】
オフを示すクローズドサブスクライバグループインジケータを有する基地局からのネットワーク利用可能性を示す情報を受信したユーザ機器からの、該ユーザ機器を前記ローカルサービスエリアネットワーク内に登録するためのメッセージによる要求をローカルサービスエリアネットワークにおいて受信するステップと、
ローカルデータベース、及びポータルを介して通信されるセルラネットワーク運営者のデータベースを使用して前記ユーザ機器を認証するステップと、
を含む動作を実行すべくプロセッサにより実行可能なコンピュータプログラムによって符号化されたコンピュータ可読媒体。
【請求項３９】
前記ローカルサービスエリアネットワークが、前記ユーザ機器が前記ローカルサービスエリアネットワークのローカルサーバとの間でデータをやりとりするためのインターネットプロトコルブレイクアウトサービス、又は前記ユーザ機器が前記インターネットを介して到達可能な遠隔サーバとの間でデータをやりとりするためのインターネットプロトコルブレイクアウトサービスの少なくとも一方を提供する、
ことを特徴とする請求項３８に記載のコンピュータプログラムによって符号化されたコンピュータ可読媒体。
【請求項４０】
前記ローカルサービスエリアネットワークが、少なくともコストを削減したコーリングサービスを前記ユーザ機器に提供する、
ことを特徴とする請求項３８又は請求項３９に記載のコンピュータプログラムによって符号化されたコンピュータ可読媒体。
【請求項４１】
前記要求がショートメッセージサービスメッセージで受信される、
ことを特徴とする請求項３８から請求項４０のいずれかに記載のコンピュータプログラムによって符号化されたコンピュータ可読媒体。
【請求項４２】
オフを示すクローズドサブスクライバグループインジケータを有する基地局からのネットワーク利用可能性を示す情報を受信したユーザ機器からの、該ユーザ機器を前記ローカルサービスエリアネットワーク内に登録するためのメッセージによる要求をローカルサービスエリアネットワークにおいて受信するように構成された受信機と、
ローカルデータベース、及びポータルを介して通信されるセルラネットワーク運営者のデータベースを使用して前記ユーザ機器を認証するように構成されたコントローラと、
を備えることを特徴とする装置。
【請求項４３】
前記ローカルサービスエリアネットワークが、前記ユーザ機器が前記ローカルサービスエリアネットワークのローカルサーバとの間でデータをやりとりするためのインターネットプロトコルブレイクアウトサービス、又は前記ユーザ機器が前記インターネットを介して到達可能な遠隔サーバとの間でデータをやりとりするためのインターネットプロトコルブレイクアウトサービスの少なくとも一方を提供する、
ことを特徴とする請求項４２に記載の装置。
【請求項４４】
前記ローカルサービスエリアネットワークが、少なくともコストを削減したコーリングサービスを前記ユーザ機器に提供する、
ことを特徴とする請求項４２又は請求項４３に記載の装置。
【請求項４５】
前記要求がショートメッセージサービスメッセージで受信される、
ことを特徴とする請求項４２から請求項４４のいずれかに記載の装置。
【発明の詳細な説明】
【技術分野】
【０００１】
本発明の例示的かつ非限定的な実施形態は、一般に、無線通信システム、方法、装置、及びコンピュータプログラム製品に関し、より具体的には、ユーザ機器にローカルネットワークアクセスを提供するための技術に関する。
【背景技術】
【０００２】
本明細書及び／又は図面に出現する様々な略称は以下のように定義される。
３ＧＰＰ  第３世代パートナシッププロジェクト
ＣＳＧ  クローズドサブスクライバグループ
ＣＮ  コアネットワーク
ｅＮＢ  ＥＵＴＲＡＮノードＢ（進化型ノードＢ）
ＥＰＣ  進化型パケットコア
ＥＵＴＲＡＮ  進化型ＵＴＲＡＮ
ＦＤＤ  周波数分割複信
ＦＤＭＡ  周波数分割多元接続
ＧＷ  ゲートウェイ
ＨＳＳ  ホームサブスクライバシステム
ＩＭＳ  ＩＰマルチメディアシステム
ＩＰ  インターネットプロトコル
ＬＡＮ  ローカルエリアネットワーク
ＬＴＥ  ロングタームエボリューション
ＬＴＥ−Ａ  ＬＴＥ−アドバンスド
ＭＡＣ  媒体アクセス制御
ＭＭ  移動性管理
ＭＭＥ  移動性管理エンティティ
ＮＡＳ  ノンアクセスストラタム
ノードＢ  基地局
ＯＦＤＭＡ  直交周波数分割多重アクセス
ＰＤＣＰ  パケットデータ収束プロトコル
ＰＤＮ  パケットデータネットワーク
ＰＬＭＮ  パブリックモバイルネットワーク
ＲＬＣ  無線リンク制御
ＲＲＣ  無線リソース制御
ＲＲＭ  無線リソース管理
ＲＳＣ  リテールスポンサー付き通信
ＳＡＥ  システムアーキテクチャエボリューション
ＳＣ−ＦＤＭＡ  シングルキャリア周波数分割多重アクセス
ＴＡ  トラッキングエリア
ＵＥ  ユーザ機器
ＵＴＲＡＮ  ユニバーサル地上無線アクセスネットワーク
【０００３】
提案する進化型ＵＴＲＡＮ（ＥＵＴＲＡＮ、ＵＴＲＡＮ−ＬＴＥ又はＥＵＴＲＡとも呼ばれる）として知られている通信システムは、３ＧＰＰ内で現在開発中である。現在の作業仮説では、ＤＬアクセス技術がＯＦＤＭＡになり、ＵＬアクセス技術がＳＣ−ＦＤＭＡになるということである。
【０００４】
ＥＵＴＲＡＮに関連する１つの興味深い仕様は、３ＧＰＰ  ＴＳ  ３６．３００、Ｖ８．２．０（２００７−０９）、第３世代パートナシッププロジェクト、技術仕様グループ無線アクセスネットワーク、進化型ユニバーサル地上無線アクセス（Ｅ−ＵＴＲＡ）及び進化型ユニバーサル地上無線アクセスネットワーク（Ｅ−ＵＴＲＡＮ）、全体記述、ステージ２（リリース８）である。この文献「クローズドサブスクライバグループ（ＣＳＧ）セルに関連する移動性及びアクセス制御要件」の添付書類Ｆは、本発明の様々な実施形態の説明にとって特に興味深い。
【０００５】
図１は、３ＧＰＰ  ＴＳ  ３６．３００の図４を再現したものであり、Ｅ−ＵＴＲＡＮシステムの全体的アーキテクチャを示している。Ｅ−ＵＴＲＡＮシステムはｅＮＢを含み、ＵＥに対してＥ−ＵＴＲＡユーザプレーン（ＰＤＣＰ／ＲＬＣ／ＭＡＣ／ＰＨＹ）及び制御プレーン（ＲＲＣ）プロトコルの終了を提供する。ｅＮＢは、Ｘ２インターフェイスにより相互接続される。ｅＮＢはまた、Ｓ１インターフェイスによってＥＰＣにも接続され、より詳細には、Ｓ１−ＭＭＥインターフェイスによってＭＭＥに及びＳ１−Ｕインターフェイスによってサービングゲートウェイ（Ｓ−ＧＷ）に接続される。Ｓ１インターフェイスは、ＭＭＥ／サービングゲートウェイとｅＮＢとの間の多対多の関係をサポートする。
【０００６】
３ＧＰＰは、３Ｇパケットコアのエボリューションに基づくとともに運営者のドメインにおける集中化ＳＡＥ  ＧＷのすぐ近くに位置するＩＭＳからのサービスを使用するように最適化されたＬＴＥ／ＳＡＥアーキテクチャを選択した。現在のところ、ローカル又は外部パケットスイッチドネットワークから競合するオープンインターネットサービスへの接続性は二次的なものであり最適ではないと考えられる。
【０００７】
ＬＴＥ無線は非常に優位性があり、その高スループット及び低待ち時間は、ユーザのエンドツーエンド（ｅ２ｅ）経験を固定ブロードバンドアクセスで経験されるものと同様のレベルにまで向上させる潜在力を有する。しかしながら、ＬＴＥ無線が、ＳＡＥアーキテクチャにおいて選択した「長距離キャリアモデル」に結合された場合、全てのコール／サービスが「長距離」と考えられ、ｅ２ｅパフォーマンスは、（セルラネットワークにおいて初めて）距離に起因して制約を受ける可能性がある。
【０００８】
ローカライズしたサービス／アクセスは、携帯電話事業者のネットワーク（ＰＬＭＮ）内にローカルサービスエリアを形成することによって提供される必要があり、すなわちこれらのローカライズしたサービス／アクセスは、特に許可された無線バンドを使用することによりパブリックモバイルネットワークの一部であるとされている。
【０００９】
ＣＳＧ  セル／基地局が、加入者（ＣＳＧ所有者）によって所有又はレンタルされている場合、３ＧＰＰ  ＲＡＮ  ＷＧ２は、現在のところホームノードＢ（ＨＮＢ）及びクローズドサブスクライバグループ（ＣＳＧ）の概念を指定している。ＣＳＧネットワークは、（「Ｆｅｍｔｏ」基地局などの）ＨＮＢで構築されていると想定され、サービスは、（単複の）ＨＮＢを所有する加入者、又は所有者によってアクセスを許可された加入者しか使用できないように制限される。
【００１０】
ローカルＩＰブレイクアウトのアプローチでは、ＰＬＭＮ内のいずれの場所においても全ての利用可能なネットワークリソースを使用してローカルサービスエリアを形成できるとされている。例えば、完全なサービス範囲を有する市営通信サービスは、私的なＦｅｍｔｏ基地局に加え、マクロ層におけるパブリックセル／基地局を使用することを必要とする。しかしながら、このアプローチの実施には、ＣＳＧ概念に対して定められたローカルエリアシナリオのアクセス制御における現在の３ＧＰＰが定める制限を除外することが必要となる。
【００１１】
これに関して、Ｉｖａｎ  Ｏｒｅ及びＭａｒｋｕｓ  Ｄｉｌｌｉｎｇｅｒによる、２００７年１０月９日に出願された同一出願人による同時係属中の米国仮特許出願第６０／９９３，２９１号「クローズドサブスクライバグループに対するアクセス制御」を参照することができる。この文献は、運営者／ＣＳＧ管理者が必要時にゲストメンバーへのアクセスを可能にする「オープンモード」ＣＳＧネットワークについて記載している。セルブロードキャストシステム情報内の新しいアクセスクローズド／オープンフラグを使用して、プライベートセルをパブリックセルに戻すという開示される使用法により、ユーザが、ホームノードＢなどのＣＳＧセルに、或いは通常はプライベートアクセスのみに使用される複数の基地局から構築されたコミュニティネットワークに接続できるようになる。
【００１２】
この種のＣＳＧセルによる「オープンアクセス」は、比較的安価なホームノードＢを使用して３Ｇ／ＬＴＥネットワーク範囲を構築する能力を提供し、制御された無線ネットワークプランニングを必要としない。パブリックセルへの干渉を防ぐために、３Ｇ／ＬＴＥの場合、運営者が所有する許可帯域に属する異なる周波数層にＣＳＧネットワークを配置することができる。
【００１３】
興味深い別の文献は、２００７年４月１３日に出願された「方法、無線システム、モバイル端末及び基地局」という名称のフィンランド特許出願第２００７５２５２号である。この出願は、「ローカルブレイクアウトサービス」の概念について記載しており、この概念では、ユーザ機器が、インターネットプロトコルゲートウェイへのローカルブレイクアウトサービスの利用可能性を検出し、ネットワークエントリを開始し、ローカルブレイクアウトサービスから受け取った構成データに基づいてそのプロトコルスタックを構成する。いくつかの点で、このローカルブレイクアウトサービスは、上述の３ＧＰＰ  ＴＳ  ３６．３００に記載されたホームＥノードＢ及びＣＳＧセルに類似していると考えることができる。
【００１４】
登録済みのホームＥノードＢの所有者は、そのユーザグループに加入者を追加し、これらのユーザグループのメンバーがＣＳＧセルへのアクセスを許可される。１又はそれ以上のホームｅ−ノードＢをリンクして互いに隣接する２以上のＣＳＧセルを形成することができるので、これらをＣＳＧネットワークと呼ぶことが便利である。ＣＳＧネットワークは、最終的な消費者がアクセス許可を少なくとも部分的に管理する１又はそれ以上のセルから構成されるネットワークである。ユーザグループのメンバーとして登録された加入者がＣＳＧメンバーである。ＣＳＧメンバーは、ＣＳＧ管理者によってＣＳＧネットワークに登録された無線サービス（携帯電話）ユーザであり、登録されるとＣＳＧネットワークへのアクセスが許可される。ＣＳＧに登録されていないユーザ又は装置はアクセスを許可されず、従ってクローズドサブスクライバグループと呼ばれる。ＣＳＧネットワークでは、ＣＳＧネットワークへのアクセスを許可されている装置（ユーザ機器又はＵＥ）のみがこのネットワークに留まり、又は接続することができる。ＣＳＧセルの例として、ホームＥ−ノードＢ（消費者が購入したＬＴＥセル）、企業セル（会社が雇用又は所有するセル）、及び「商業」セル（小売会社、スーパーマーケットなどが所有するセル）が挙げられる。ユーザをＣＳＧメンバーとして登録するのはＣＳＧ管理者の責任である。
【００１５】
ＣＳＧネットワークが、そのユーザグループを形成する加入者を迅速に制御及び変更できる一方で、アクセスは登録加入者に制限され、他のユーザには閉鎖される。ユーザがＣＳＧネットワークのＣＳＧメンバーとして追加される手順は、一般に以下の通りである。ＣＳＧ管理者が、運営者のデータベースにＩＭＳＩ／ＩＭＥＩ又は電話番号を追加し、運営者が、ＮＡＳシグナリングを介して１又はそれ以上のＣＳＧネットワーク識別子のリストをユーザへ送信し、ユーザがＮＡＳ情報を受信すると、このユーザがＣＳＧメンバーになり、従って同じＣＳＧネットワーク識別子に属する全てのセルにアクセスできるようになる。
【００１６】
上記で引用した添付書類Ｆでは、ＣＳＧネットワークと「オープン」な他のセル（Ｅ−ＵＴＲＡＮ、ＵＴＲＡＮ、ＧＥＲＡＮ、又はその他のいずれかの非ＣＳＧセル）との間のユーザグループメンバーの移動性についても、ユーザグループメンバーがＣＳＧネットワークの範囲内に存在する場合、他のセルよりも自身のＣＳＧネットワークの方を優先させるように記載されている。このようにして、ＣＳＧの概念は、ユーザグループメンバーに対してのみではあるが、パブリックな非クローズドネットワークの全体的な受信範囲を拡大する。
【００１７】
ＣＳＧネットワークの概念は、法人又は大学キャンパス、或いは小売店という関連において有用なものであると考えることができる。法人又は大学は、その従業員／学生を適当なユーザグループに入会させる一方で、他人がサービスを無料で利用できないようにすることにより、従業員／学生がＣＳＧに無料又は低コストでアクセスできるようにする。外部演説者又は客員教授などのメンバーをこれらのグループにアドホックベースで追加することは、一般にこれらの追加はたまにしか行われないので困難なことではない。
【発明の概要】
【発明が解決しようとする課題】
【００１８】
一方、企業は、自身の顧客が企業の定番製品又はサービスをより長く利用し、出来ればこれらをより多く購入するように誘い込み、仕向けるために、これらの顧客に無料又は低コストのアクセスを提供することを望む場合がある。例えば、レストラン又はカフェは、顧客が競合他社よりも自身の店を選び、そこに一旦長く留まるように、顧客に無料又は低コストのインターネットアクセスを提供することを好む場合がある。
【課題を解決するための手段】
【００１９】
本発明の第１の実施形態は、オフを示すクローズドサブスクライバグループインジケータを有するセルラネットワーク基地局を動作させるステップと、ユーザ機器が現在位置する場所にあるローカルサービスエリアネットワークの利用可能性を示す情報をユーザ機器へ送信するステップとを含む方法である。
【００２０】
本発明の別の実施形態はオフを示すクローズドサブスクライバグループインジケータを有するセルラネットワーク基地局を動作させるステップと、ユーザ機器が現在位置する場所にあるローカルサービスエリアネットワークの利用可能性を示す情報をユーザ機器へ送信するステップとを含む動作を行うべくプロセッサにより実行可能なコンピュータプログラムで符号化されたコンピュータ可読媒体である。
【００２１】
本発明の別のさらなる実施形態は、オフを示すクローズドサブスクライバグループインジケータを有するセルラネットワーク基地局を動作させるように構成されたコントローラと、ユーザ機器が現在位置する場所にあるローカルサービスエリアネットワークの利用可能性を示す情報をユーザ機器へ送信するように構成された送信機とを含む装置である。
【００２２】
本発明の別のさらなる実施形態は、オフを示すクローズドサブスクライバグループシグナリングインジケータを有するセルラネットワーク基地局からの、ユーザ機器が現在位置する場所にあるローカルサービスエリアネットワークの利用可能性を示す情報をユーザ機器で受信するステップと、ユーザ機器がローカルサービスエリアネットワークの運営者に登録したいと思っていることを示す情報をローカルサービスエリアネットワークの運営者へ送信するステップとを含む方法である。
【００２３】
本発明の別の実施形態は、オフを示すクローズドサブスクライバグループシグナリングインジケータを有するセルラネットワーク基地局からの、ユーザ機器が現在位置する場所にあるローカルサービスエリアネットワークの利用可能性を示す情報をユーザ機器で受信するステップと、ユーザ機器がローカルサービスエリアネットワークの運営者に登録したいと思っていることを示す情報をローカルサービスエリアネットワークの運営者へ送信するステップとを含む動作を行うべくプロセッサにより実行可能なコンピュータプログラムで符号化されたコンピュータ可読媒体である。
【００２４】
本発明の別のさらなる実施形態は、オフを示すクローズドサブスクライバグループシグナリングインジケータを有するセルラネットワーク基地局からの、ユーザ機器が現在位置する場所にあるローカルサービスエリアネットワークの利用可能性を示す情報をユーザ機器で受信するように構成された受信機と、ユーザ機器がローカルサービスエリアネットワークの運営者に登録したいと思っていることを示す情報をローカルサービスエリアネットワークの運営者へ送信するように構成された送信機とを含む装置である。
【００２５】
本発明の別のさらなる実施形態は、オフを示すクローズドサブスクライバグループインジケータを有する基地局からネットワークの利用可能性を示す情報を受信したユーザ機器からのローカルサービスエリアネットワーク内にユーザ機器を登録するためのメッセージによる要求をローカルサービスエリアネットワークにおいて受信するステップと、ローカルデータベース、及びポータルを介して通信されるセルラネットワーク運営者のデータベースを使用してユーザ機器を認証するステップとを含む方法である。
【００２６】
本発明の別の実施形態は、オフを示すクローズドサブスクライバグループインジケータを有する基地局からネットワークの利用可能性を示す情報を受信したユーザ機器からのローカルサービスエリアネットワーク内にユーザ機器を登録するためのメッセージによる要求をローカルサービスエリアネットワークにおいて受信するステップと、ローカルデータベース、及びポータルを介して通信されるセルラネットワーク運営者のデータベースを使用してユーザ機器を認証するステップとを含む動作を実行すべくプロセッサにより実行可能なコンピュータプログラムで符号化されたコンピュータ可読媒体である。
【００２７】
本発明の別のさらなる実施形態は、オフを示すクローズドサブスクライバグループインジケータを有する基地局からネットワークの利用可能性を示す情報を受信したユーザ機器からのローカルサービスエリアネットワーク内にユーザ機器を登録するためのメッセージによる要求をローカルサービスエリアネットワークにおいて受信するように構成された受信機と、ローカルデータベース、及びポータルを介して通信されるセルラネットワーク運営者のデータベースを使用してユーザ機器を認証するように構成されたコントローラとを含む装置である。
【図面の簡単な説明】
【００２８】
【図１】３ＧＰＰ  ＴＳ  ３６．３００の図４を再現してＥ−ＵＴＲＡＮシステムの全体的アーキテクチャを示す図である。
【図２】本発明の実施形態を有利に実施できるＥ−ＵＴＲＡＮ／ＬＴＥ無線システム環境を示す例である。
【図３】本発明の例示的な実施形態の実施における使用に適した様々な電子装置を示す簡易ブロック図である。
【図４】様々なＬＴＥローカルエリアシナリオに適用可能なセルタイプを示す図である。
【図５】ＬＴＥピコ／マイクロセルを含む、（ショッピングモール内などの）小売業者が提供するネットワーク展開の使用例のシナリオを説明する際に有用な図である。
【図６】ＬＴＥピコ／マイクロセルを含むキャンパスネットワークの展開の使用例のシナリオを説明する際に有用な図である。
【図７】セルラネットワークにより行われるコンピュータプログラム命令の実行方法及び結果を示す論理フロー図である。
【図８】ユーザ機器により行われるコンピュータプログラム命令の実行方法及び結果を示す論理フロー図である。
【図９】ローカルエリアネットワークコントローラにより行われるコンピュータプログラム命令の実行方法及び結果を示す論理フロー図である。
【発明を実施するための形態】
【００２９】
本発明の例示的な実施形態は、分散化したローカルＩＰブレイクアウトソリューションが、ＬＴＥ無線とネットワーク性能とを互いに適合させ、これにより代替えのブロードバンド無線アクセス技術に対するＬＴＥの競争力を高めるための最適な技術であるという認識に少なくとも部分的に基づく。
【００３０】
本発明の例示的な実施形態は、ショッピングモール、フェアセンター、キャンパス、及び／又はＰＬＭＮ内のパブリックセルを利用する企業内などのローカルなパケット交換ネットワークにおける直接ユーザのＩＰ接続性を含むローカライズしたサービスの展開に少なくとも部分的に焦点を当てる。
【００３１】
ある使用例では、ローカルＩＰブレイクアウトソリューションの展開はＣＳＧ原理を利用することができるが、まず第一に長距離キャリアモデルから抜け出す能力を提供して、ＰＬＭＮ内の全ての加入者に対してローカルコール／サービスを可能にする必要がある。これにより、様々なビジネスモデルの実施を可能にする広範囲の使用例を含む新しい機会が開かれる。したがって、使用例に応じて、パブリック及び／又はクローズドグループユーザの両方にとってローカライズしたサービスへのアクセスが柔軟に可能になる「オープンネットワーキング」モデルへ向けたローカルエリアシナリオを開発することが望まれる。
【００３２】
現在のところ、ＣＳＧセル／ネットワークは、これらがマクロ層の一部でないとしても、何らかのＰＬＭＮの一部であるとされている。この結果、手動選択によるＣＳＧセルへのユーザエントリを、規制のないＷＬＡＮホットスポットにユーザが接続する場合と直接比較することはできない。前者のケースでは、次のようないくつかの問題点を考慮すべきである。
（Ａ）セキュリティ、例えばユーザを認証する必要があり、公認されたローミング協定が整っている必要がある。例えば、ユーザのホーム運営者は、３Ｇ／ＬＴＥアクセスを提供するローカル運営者とのローミング協定を有していなくてもよい。接続ユーザは外国のユーザの場合があるので、誰にでもフリーコールを提供することは、最悪のシナリオでは国際ローミングからの恩恵を失う結果となる。
（Ｂ）緊急コール、位置決め及び法的傍受などの規制問題をサポートする必要がある。
（Ｃ）ユーザは、ローカルネットワークに接続されている場合、通常のネットワークからのコール／サービスによってアクセス可能でなければならない（例えば、アイドルモード時のページングの場合のように、ＨＳＳにおけるロケーション登録が必要である）。
【００３３】
上記に基づいて、発明者らは、ＣＳＧネットワークはこれらのネイチャープライベートネットワークによるものであり、パブリック／オープンアクセス用に設計する必要はないというポジションをとってきた。代わりに、本発明の例示的な実施形態は、ＣＳＧメンバーを効率的に（及び簡単に）管理するための、例えば一時的なビジターをＣＳＧグループに追加するための技術を提供する。例示的な実施形態を適用することにより恩恵を受ける例示的なＣＳＧの使用例として、以下に限定されるわけではないが、家庭用セル（ホームＮＢ）及び企業ネットワーク（例えば、複数のＦｅｍｔｏＮＢを使用して構築された会社ネットワーク）が挙げられる。
【００３４】
ここで、本発明の実施形態を実施するための例示的な環境を示す図２を参照する。この例では、無線システムはＬＴＥ／ＳＡＥネットワーク要素に基づく。しかしながら、これらの例で説明される本発明はＬＴＥ／ＳＡＥ無線システムに限定されるものではなく、ＨＳＤＰＡ（高速ダウンリンクパケットアクセス）、ＨＳＵＰＡ（高速アップリンクパケットアクセス）、ＷＩＭＡＸ（ワールドワイド・インターオペラビリティ・フォー・マイクロウェーブ・アクセス）、インターネットＨＳＰＡなどのその他の無線システム、或いはいくつかのグループへのクローズドアクセスが存在するその他の適当な無線システムで実施することができる。また、本発明を、（３ＧＰＰ  ＴＳ  ２３．４０１、Ｖ１．１．０、「第３世代パートナシッププロジェクト；技術仕様グループサービス及びシステム態様；Ｅ−ＵＴＲＡＮアクセスのためのＧＰＲＳ拡張」２００７年７月のような）ローカルブレイクアウトを使用しない、又はローカルブレイクアウトを使用したアーキテクチャに応用することができる。
【００３５】
図２の例示的な無線システムは、サービス管理１０２と、ＩＭＳ（ＩＰマルチメディアサブシステム）１０４と、ＭＭＥ（移動性管理エンティティ）１０６と、ＳＡＥ  ＧＷ（ＳＡＥゲートウェイ）１０８とを含む運営者のサービスコア１００を備える。
【００３６】
モバイル端末１５０、１５１（一般的にユーザ機器又はＵＥと呼ぶ）とサービスコアネットワーク１００との間のトラフィックは、国内ＩＰバックボーンネットワーク１２０、地域トランスポートネットワーク１３０、及びローカルエリアアグリゲーションネットワーク１４０を介して運ばれる。無線システムのｅＮＢ（拡張ノードＢ）１６０〜１６５は、無線ベアラ制御、無線アドミッション制御、接続移動性制御、及び動的リソースアロケーション（スケジューリング）などの無線リソース管理のための機能をホストする。さらなる例示的な無線システムでは、ｅＮＢの代わりに或いはこれとともにあらゆるＬＴＥ無線アクセスノードを使用することができる。非限定的な例として、このようなＬＴＥ無線アクセスノードは、（フェムト顧客屋内装置などの）ＬＴＥフェムトＣＰＥ及び／又はＬＴＥピコセルを含むことができる。ＭＭＥ１０６は、ｅＮＢ１６０〜１６５へのページングメッセージの配信に関与する。
【００３７】
現在の無線ネットワークはシングルスイッチモデルに基づく。これは、ＳＡＥ  ＧＷ（ＳＡＥゲートウェイ）１０８によりＬＴＥ／ＳＡＥネットワーク内で実現される。全てのコール／サービスが、ＳＡＥ  ＧＷ１０８を介してルーティングされる。例えば、モバイル端末１５０からインターネット１１０などの外部ＩＰネットワーク１１０への接続は、一般に破線１９１で示すルートを介してガイドされる。これに対する変形例が、上記で引用したフィンランド特許出願第２００７５２５２号に示されており、ここではＬＴＥ基地局１６０〜１６５からのローカルＩＰブレイクアウトのための企業ネットワーク１４４又は特定のローカルエリア１４２内における通常のＩＰゲートウェイ１７０〜１７２（アクセスルータ）への接続について記載する一方で、ＬＴＥ／ＳＡＥ運営者のパケットコアネットワーク１００内のユーザアクセス制御及びＳＡＥ  ＧＷ１０８が保持される（同様に、これを本明細書で説明する例示的なアーキテクチャの変形例に応用することができる）。フィンランド特許出願第２００７５２５２号は、ＳＡＥ  ＧＷ１０８からのＩＰアドレスを使用したデフォルトＳＡＥベアラサービスへの登録が、必ずしもアクティブセッションに使用されるわけではなくても利用可能であることを前提としている。
【００３８】
モバイル端末１５０、１５１は、対応するユーザグループのメンバーではないクローズドサブスクライバネットワーク１４４の利用可能性を検出し、このネットワークが「オープンアクセス」に設定されている場合にはクローズドサブスクライバネットワークへのネットワークエントリを開始するように構成される。
【００３９】
図３は、本発明の例示的な実施形態を実施する際の使用に適した様々な電子装置の簡易ブロック図を示している。図３では、ＵＥ／モバイル端末２１０とホームノードＢ２２０の間の通信に無線ネットワーク２００が適用される。ネットワーク２００は、様々な無線通信システムにおいて様々な用語で知られているサービングモバイル移動性エンティティ／要素ＭＭＥ１０６、ＳＡＥ  ＧＷ１０８、無線ネットワークコントローラＲＮＣ又はその他の無線コントローラ機能などの高位ネットワークノード２３０を含むことができる。ＵＥ２１０は、データプロセッサ（ＤＰ）２１０Ａ、プログラム（ＰＲＯＧ）２１０Ｃを記憶するメモリ（ＭＥＭ）２１０Ｂ、及び１又はそれ以上の無線リンク２４０を介してホームノードＢ２２０と双方向無線通信を行うための１又はそれ以上のアンテナ２１０Ｅ（１つを図示）に結合された適当な無線周波数（ＲＦ）送受信機２１０Ｄを含む。ＵＥ２１０は、以下で詳述するように、装置２１０のユーザに情報を表示するためのコンピュータ画面などのグラフィカルディスプレイインターフェイス２１０Ｆをさらに含む。
【００４０】
Ｅ−ノードＢ２２０は、ＤＰ２２０Ａ、ＰＲＯＧ２２０Ｃを記憶するＭＥＭ２２０Ｂ、及び１又はそれ以上のアンテナ２２０Ｅに結合される適当なＲＦ送受信機２２０Ｄを含む。Ｅ−ノードＢ２２０は、（Ｓ１インターフェイスなどの）データ経路２５０を介してサービング又はその他のＧＷ／ＭＭＥ／ＲＮＣ２３０に結合することができる。ＧＷ／ＭＭＥ／ＲＮＣ２３０は、ＤＰ２３０Ａ、ＰＲＯＧ２３０Ｃを記憶するＭＥＭ２３０Ｂ、及びリンク２５０を介してホームノードＢ２３０と通信するための適当なモデム及び／又は送受信機（図示せず）を含む。
【００４１】
ＰＲＯＧ２１０Ｃ、２２０Ｃ及び２３０Ｃの少なくとも１つは、関連するＤＰにより実行された場合、以下で詳細に説明するように、本発明の例示的な実施形態に従って電子装置を動作できるようにするプログラム命令を含むと考えられる。
【００４２】
ＰＲＯＧ２１０Ｃ、２２０Ｃ、２３０Ｃは、ソフトウェア、ファームウェア及び／又はハードウェアの形で適当に具体化することができる。一般に、本発明の例示的な実施形態は、ＭＥＭ２１０Ｂに記憶されたコンピュータソフトウェアによって実施することができ、ＵＥ２１０のＤＰ２１０Ａにより、及びｅ−ノードＢ１２の他のＭＥＭ２２０Ｂ及びＤＰ２２０Ａに対しても同様に、或いはハードウェアにより、或いは図示の装置の全てにおいてソフトウェア及び／又はファームウェア及びハードウェアの組み合わせにより実行することができる。
【００４３】
一般に、ＵＥ２１０の様々な実施形態として、以下に限定されるわけではないが、移動局／移動端末、セルラ電話、無線通信機能を有する携帯情報端末（ＰＤＡ）、無線通信機能を有するポータブルコンピュータ、無線通信機能を有するデジタルカメラなどの画像取り込み装置、無線通信機能を有するゲーム装置、無線通信機能を有する音楽記憶及び再生機器、無線インターネットアクセス及びブラウジングを可能にするインターネット機器、同様にこれらの機能の組み合わせを組み込んだポータブルユニット又は端末を挙げることができる。
【００４４】
ＭＥＭ２１０Ｂ、２２０Ｂ及び２３０Ｂは、ローカル技術環境に適したいずれの種類のものであってもよく、半導体ベースのメモリ装置、磁気メモリ装置及びシステム、光メモリ装置及びシステム、固定メモリ及び取り外し可能メモリなどの、あらゆる適当なデータ記憶技術を使用して実装することができる。ＤＰ２１０Ａ、２２０Ａ及び２３０Ａはコントローラであってもよく、またローカル技術環境に適したいずれの種類のものであってもよく、非限定的な例として、汎用コンピュータ、特定用途コンピュータ、マイクロプロセッサ、デジタルシグナルプロセッサ（ＤＳＰ）、及びマルチコアプロセッサアーキテクチャに基づくプロセッサのうちの１又はそれ以上を含むことができる。
【００４５】
ＣＳＧネットワークの概念及びセルタイプを示すブロードキャストＣＳＧ−ビットは３ＧＰＰで合意されており、クローズドサブスクライバグループにアクセス可能なプライベートネットワークの様々な使用例を実現する。しかしながら、ＬＴＥアクセスがネットワーク運営者に対して新しい拡張されたビジネスモデルを利用可能にするローカルエリアシナリオの様々な使用例をサポートする場合には有利である。運営者が所有及び管理する、パブリックマクロ、マイクロ及びピコセルを含むネットワークリソースを使用して、及びこれらの構成を柔軟な方法でサポートすることにより、ローカライズしたサービスを同様に利用できることが望ましい。
【００４６】
本発明の例示的な実施形態は、上述したＣＳＧビットに加え、セルシステム情報（ＣＳＩ）における移動性制御の目的で新しいビットをＵＥ２１０に通知する必要はないという前提に少なくとも部分的に基づく。セルタイプを示すＣＣＧ−ビットは、複数のビットを含むインジケータであると考えられる。
【００４７】
本発明の１つの態様によれば、図４は、様々なＬＴＥローカルエリアシナリオに適用可能なセルタイプを示し、ＣＳＧ＝オフとＣＳＧ＝オンとの間の区別を示している。この例は、（ショッピングモールなどにおける）リテールスポンサー付きのローカライズしたサービスのシナリオとの関連で与えるものであるが、この１つの特定のＣＳＧの例のみを明確に意図するものではない。この例では、例えば、ショッピングモールを訪れているエントリレベルリテールスポンサー付き通信（ＲＳＣ）ユーザに、パブリックセル（ＣＳＧ＝オフ）、ローカルサービス＝オン及びアクセス＝オープンが与えられ、並びにノーコストのＲＳＣサービスを取得するための１又はそれ以上の事前条件を満たした加入者に、パブリックセル（ＣＳＧ＝オフ）、ローカルサービス＝オン及びアクセス＝クローズドが与えられる。ＣＳＧ＝オンの分岐は、ホームネットワーク、会社ネットワークなどのプライベートネットワークに適する。
【００４８】
このように、セルがパブリック／オープンなアクセス及び制限されたアクセスの両方をサポートしなければならない場合、セルをデフォルト条件としてパブリック／オープンなアクセス（ＣＳＧ＝オフ）用に構成し、この結果、パブリック又は制限されたアクセスのいずれかに対してＵＥ２１０の加入及び現在のロケーションに基づくローカルＩＰブレイクアウトサービスなどの何らかのローカライズしたサービスを提供できることが望ましい。
【００４９】
パブリックなローカライズしたサービスをサポートするために、ネットワークには、ＵＥ２１０がローカライズしたサービス範囲に移動したことをＵＥ２１０に示すためのＣＮからのＮＡＳシグナリングを使用してＵＥ２１０を支援する機能が提供される。これは、例えばトラッキングエリア更新手順の一部として、又はアイドルからアクティブへの状態移行の一部として、或いはｅＮＢ間ハンドオーバの一部として（３つの非限定的な例として）行うことができる。この特徴は、便宜上「進化型パケットコアからのロケーションベースのサービストリガリング」と呼ぶことができる。
【００５０】
非限定的な例として、この機能は、（ショッピングモールなどの）リテールスポンサー付きのローカライズしたサービスシナリオにおいて以下のように実施することができる。
（Ａ）ＬＴＥ対応ＵＥ２１０を所有するあらゆる加入者は、及びＬＴＥサービスをサポートする携帯電話事業者への、又はローミングパートナへの加入により、ローカルサービスエリアへの移動時に通常通りパブリックセルラサービスの使用を継続できる。
（Ｂ）（セルの選択又はハンドオーバなどによる）ローカルサービスエリアへのエントリ時に、ネットワーク２００が、利用可能なローカライズしたサービスに関する指示をダウンリンクシグナリングを介してＵＥ２１０へ送信する。初めてのビジターは、例えばリテールスポンサー付き通信サービスを取得するための、及び広告を取得するための提案を手動で受理することができる。ユーザは、将来リテールスポンサー付きネットワークを訪れた場合、（単複の）ＵＥ２１０設定メニュー内でこれらのサービスへの自動エントリを可能にすることができる。ユーザが、いずれの動作も行わなかった（ローカライズしたサービスの使用に関する提供に応答しなかった）場合、いままでの料金表でのパブリックセルラサービスの使用を継続する。
【００５１】
ローカルＩＰブレイクアウトなどのプレミアムなローカライズしたサービスをサポートするために、ある条件を満たした加入者に対して、（ショッピングモールなどの）リテールスポンサー付きネットワークにおいて以下の手順を続けることができる。図５を参照することもできる。
（Ａ）（ある閾値価格を有するいくつかの商品又はサービスを購入するなどの）１又はそれ以上のある条件を満たした加入者は、リテーラスポンサー付きネットワークエリア内のローカルＬＴＥサービスの登録ユーザとして参加を許可される（或いは、マクロＢＳを介して招待される）。ローカルサーバを有するリテーラスポンサー付きネットワークの管理者（ＮＡ）２７０は、ポータル２９０を使用してネットワーク運営者２００の加入データベース（ＤＢ）３００と情報を交換するスポンサー付きユーザデータベース（ＤＢ）２８０（図３を参照）を保持し、或いはユーザ自身が、リテーラスポンサー付きネットワークエリア内のＵＥ２１０に対するローカルアクセス権を取得するための所定の命令を含むＳＭＳメッセージなどのメッセージを送信する。
（Ｂ）ＳＭＳ内の所定の命令及び／又は受信した構成データにより、ユーザは、ローカルＩＰブレイクアウトサービス（例えば安価なローカルコール及び／又はリテーラスポンサー付きネットワークの管理者により運営されるＬＡＮ／ローカルサーバへのダイレクトデータアクセス）への自動（又は手動）ネットワークエントリを実行するようにＵＥ２１０を構成できるようになる。また、リテーラスポンサー付きネットワークエリアを訪れた際に、通常のネットワークの運営者のＳＡＥベアラサービスを使用した安価な長距離コールが可能になる。
【００５２】
以下、リテールスポンサー付きローカルネットワークについてより詳細に説明するが、まずはＬＴＥピコ／マイクロセル（図５を参照）を含むリテールスポンサー付きネットワーク展開シナリオの使用例について説明する。
【００５３】
リテールスポンサー付きネットワークの定義
リテールスポンサー付きネットワークとは、ショッピングモール内に、又はより一般的には商業センター、空港、又は都市センターなどのローカルな地理範囲内に存在する単一のエンティティの管理下にある自律ネットワークのことである。ネットワークを単一のエンティティによって管理できる一方で、複数の小売業者又はローカルコミュニティがこれをスポンサーすることができる。リテールスポンサー付きネットワークにより、リテーラがローカライズした通信サービスを提供してその販売を改善できるようになる。この使用例は、ローカルリテールスポンサー付きネットワークをパブリックセルラモバイルネットワークに統合する。
【００５４】
使用例
（単複の）リテールスポンサー付きネットワーク管理者及び（単複の）携帯電話事業者は、ローカルな地理的範囲内にピコ／マイクロセルを利用するＬＴＥを展開して、パブリックセルラモバイルネットワーク、及びパブリックな、不定期な、又は頻繁なビジターをターゲットとした（エリア内、店内などの）ロケーションベースのサービスを含むリテールスポンサー付きネットワークへのアクセスを提供することに同意している。
【００５５】
リテールスポンサー付きネットワーク内のＬＴＥセルは運営者の（単複の）ＰＬＭＮの一部であるので、パブリックアクセスに対してオープンである。携帯電話事業者への加入者、又は携帯電話事業者のローミングパートナへの加入者であるあらゆるユーザが、ローカルネットワーク範囲内で通常のセルラサービス及び拡張されたローカライズしたＩＭＳサービスを享受することができる。
【００５６】
ロケーションベース（インストア）のサービス料金表を提供して、より多くの又は新しい顧客が特定の店を訪れ及び／又は店内に長く留まるようにすることができる。さらに、ある条件を満たす加入者は、ＬＴＥ端末を使用して、ローカルに管理されるサービス及びインターネットへの安価な／無料のローカルコール（ピアツーピア）及び高性能データアクセスを享受できると同時にリテールスポンサー付きネットワーク範囲内に位置するようになる。
【００５７】
前提条件
適切な受信範囲、容量を提供して干渉を最小にするために、携帯電話事業者がリテールスポンサー付きエリア内でＬＴＥピコ／マイクロセルを利用するローカル無線ネットワークをプラニングすることができる。必要に応じて、ローカルネットワークは、近隣のマクロオーバーレイとは異なる周波数を使用することができる。また、既存のマクロオーバーレイセルをローカルアクセスに使用することもできる。ローカルリテールスポンサー付きネットワークに使用される周波数を複数の携帯電話事業者が共有できる点に留意されたい。
【００５８】
ローカルリテールスポンサー付きネットワーク内のＬＴＥピコ／マイクロセルへのアクセスはデフォルトではパブリックであるため、ＯＡＭ（操作及びメンテナンス）センターの運営者は、これらのセルの固有のＴＡにグループ化されたパブリックセルを作成することができる。この場合、リテーラスポンサー付きネットワーク範囲内の正規のセルラ加入者は、ローカルネットワーク内のセルにキャンプオンすることができる。ＴＡの無線範囲は、一般ユーザの大半が登録済みのコミュニティメンバーであり、残りが不定期又は常連のビジターとなるように、リテーラスポンサー付きエリアに制限されることが好ましい。
【００５９】
リテールスポンサー付きネットワークの管理者及び運営者はポータル２９０を使用して、プロモーションによる及びその他の利益の資格を有する加入者のユーザ情報を交換し、例えば、安価な運営者提供サービスを享受し、及び／又はリテールスポンサー付きネットワーク（ローカルＩＰブレイクアウト）へのローカルアクセスを取得する。
【００６０】
運営者は、ＳＭＳを使用することなどの広告を受け入れることに同意した特定のビジターへの一時的ローカルアクセス権を取得するための手段を手配することができる。許可されたアクセス権は、例えば、ローカルインターネットアクセス又はファミリーメンバーとのローカルピアツーピアコール（ビデオ）のみを提供できるなどのように、一時的ビジターのためのものとは異なるものにすることができる。
【００６１】
説明
（ＵＥ２１０などの）ＬＴＥ端末を有するあらゆる加入者は、及びリテールスポンサー付きネットワーク内でＬＴＥサービスを運営する携帯電話事業者への、又はローミングパートナへの加入により、リテールスポンサー付きエリアに移動した場合に通常通りパブリックセルラサービスの使用を継続することができる。
【００６２】
（セル選択又はハンドオーバなどによる）リテールスポンサー付きネットワークへのエントリ時に、ネットワークは、利用可能なリテールスポンサー付き通信サービスに関する指示をＵＥ２１０へ送信する。初めてのビジターは、リテールスポンサー付き通信サービスを取得するための提案を手動で受理して、広告を受信することに同意することができる。ユーザは、将来リテールスポンサー付きネットワークを訪れた場合、これらのサービスへの自動エントリをＵＥ設定で可能にすることができる。ユーザがいずれの動作も行わなかった場合、事実上ユーザは、通常の料金表によるパブリックセルラサービスの使用を単純に継続する。
【００６３】
（ある金銭的な値を超えて購入を行うなどの）ある１つの又は複数の基準を満たした加入者は、リテーラスポンサー付きネットワークエリア内のローカルＬＴＥサービスに登録ユーザとして参加できるようになる。リテーラスポンサー付きネットワークの管理者はスポンサー付きユーザデータベース２８０を保持し、ポータル２９０を使用して運営者の加入データベース３００と情報を交換し、或いはユーザが、リテーラスポンサー付きネットワークエリア内のＵＥ２１０に対するローカルアクセス権を取得するために提供される命令と共にＳＭＳメッセージなどのメッセージを送信する。
【００６４】
所定の命令及び／又は（ＳＭＳなどにより）受信した構成データによって、ユーザは、ローカルＩＰブレイクアウトサービスへの自動（又は手動）ネットワークエントリを実行するように（例えば、リテーラスポンサー付きネットワークへの安価なローカルコール及びダイレクトデータアクセスを取得するように）ＵＥ２１０を構成できるようになる。また、通常のＳＡＥベアラサービスを使用した安価な長距離コールも可能になる。
【００６５】
事後条件
ユーザが認証され、ローカルＩＰアドレスを取得し、ユーザの（ＬＴＥ対応ＵＥ２１０などの）ＬＴＥ端末を使用してリテーラスポンサー付きネットワークに接続されると、ユーザは、リテーラスポンサー付きネットワークの管理者及び携帯電話事業者が提供するサービスを受信する機会を得ることができるようになる。
【００６６】
リテーラスポンサー付きネットワークへのユーザ認証及び許可は、リテーラスポンサー付きネットワーク内のローカルＡＡＡサーバへ向けたローカルＩＰブレイクアウトへのネットワークエントリ手順の一部として実行する必要がある点に留意されたい。ローカル認証が失敗した場合、ユーザは、ｅＮＢ２２０によるローカルＩＰブレイクアウトサービスの取得が阻止される。ＵＥ２１０がリテーラスポンサー付きネットワークから移動した場合、マクロ層へのハンドオーバが実行され、ユーザは、リテーラスポンサー付きネットワークから手動で離脱することができる。
【００６７】
リテーラスポンサー付きネットワークエリア内の局所的サービスと平行して従来のＳＡＥベアラサービスも常に利用できるので、緊急コール、位置決め、及び合法的な傍受などの規制問題が従来のネットワークの場合のようにサポートされる点にも留意されたい。
【００６８】
リテーラスポンサー付きネットワークエリアのビジターは、リテーラスポンサー付きネットワークに接続された場合（ＨＳＳ及び運営者のコアネットワーク内のロケーション登録が常に最新である場合）、ＳＡＥベアラサービスを使用する通常のネットワーク発信コール／サービスによりアクセス可能となる。また、ユーザは、最適にルーティングされた無料の（ＶｏＩＰ／データなどの）ＵＥ対ＵＥ通信サービスをリテーラスポンサー付きネットワークエリア内でローカルに享受することができる。
【００６９】
パブリックセルの使用は、（ショッピングモール内などの）リテーラスポンサー付きネットワークエリア内でＣＳＧネットワークを作成するよりも柔軟な解決策を提供することを理解されたい。また、ＣＳＧセルが「オープン」ネットワークと同じキャリアで動作する場合、ＣＳＧ範囲内において、ＣＳＧセルは、手動介入なくＣＳＧセルにアクセスを許可されていない他のＵＥ２１０に対するオープンネットワークサービスの使用を阻止することができる（例えば、大部分がＣＳＧセルによる強力な受信範囲及び従来のオープンセルによるより弱い受信範囲を有するインドア環境を前提とする）。
【００７０】
ピコ／マイクロセルの使用は、容量制限のないキャリアグレードの解決策を提供する。
【００７１】
運営者の加入者データベース３００を利用して、販売を増やすためにアウトレット及び製品をプロモートするリテーラを支援することができる。例えば、ある加入者が、より低い料金のセルラコールを作成するためのファミリーメンバーグループに属する場合、ファミリーメンバーの全てに対してリテーラスポンサー付き通信サービスへのローカルアクセス権が自動的に与えられる。
【００７２】
また、運営者サービスの使用を、リテールスポンサー付きネットワークサービスを使用するためのインセンティブとすることができる。
【００７３】
リテーラスポンサー付きネットワークのシナリオには高性能ローカルデータアクセス（ローカルＩＰブレイクアウト）のいくつかの考えられる（非限定的な）例が存在する。
【００７４】
１つの例として、高速デジタル画像転送をＬＴＥ端末（ＵＥ２１０）から行ってローカルフォトショップからプリントを取得することができる。これは、いくつかのホットスポットだけでなく、リテーラスポンサー付きネットワークエリア内のあらゆるロケーションで行うことができる。
【００７５】
別の例として、ユーザが、ＣＤを購入しようと決める場合に、地元の音楽店のデータベースから（曲の全長の一部に制限されたストリーミングなどにより）音楽を聴くことができる。
【００７６】
別の例として、ユーザが、地元の音楽店のデータベースから購入した曲の高速音楽転送（ダウンロード）を受信することができる。ユーザ／顧客は、購入したＣＤのコンテンツをＭＰ３又は他の何らかのフォーマットでＵＥ２１０にダウンロードすることができ、或いはユーザ／顧客は、１又はそれ以上のタイトルを（実際にＣＤを受け取ることなく）ＭＰ３フォーマットで単純に購入することができる。
【００７７】
別の例として、ユーザが、ＤＶＤを購入しようと決める前に地元小売店のデータベースからビデオクリップ（例えば、ストリーミングトレーラ）を閲覧することができ、或いはＬＴＥ端末（ＭＰ４、その他）を使用して映画を観ることができる。
【００７８】
他の例として、ユーザが、短い待ち時間で（例えば、同じＬＡＮ内のサーバ及び１又はそれ以上の対戦相手などの）ゲームに参加し、及び／又は地元小売店のウェブページを閲覧してアイテムの検索及び価格の比較を行い、及び／又は様々な目的のために無料かつ高速のローカルインターネットアクセスを使用し、及び／又はリテーラスポンサー付きネットワークエリア内のファミリーメンバーとの最低コストのプッシュツートーク又はビデオコーリング（ローカルに最適化されたダイレクトルーティング）に参加することができる。
【００７９】
ＬＴＥ／ＳＡＥとの関連におけるこれらの例示的な実施形態の実施は、ＨＳＳ、ＭＭＥ２３０、ｅ−ノードＢ２２０及びＵＥ２１０へのソフトウェア拡張を含むことができる点に留意されたい。また、運営者の加入データベース３００、ＩＭＳ及びローカルに管理されるユーザデータベース２８０及びローカルサービス機能の間で情報を交換するためのポータル２９０を提供することもできる。
【００８０】
ＰＬＭＮ内のパブリックセルを利用してローカルアクセスを実現する以下の２つの例示的かつ非限定的な使用例の形で例示的な実施形態についてさらに詳細に説明する。
【００８１】
使用例：ＬＴＥピコ／マイクロセル（図６）を含むキャンパスネットワーク展開シナリオ
キャンパスネットワークの定義
本明細書では、キャンパスネットワークとは、便宜上及び限定的な意味ではなく、大学キャンパスに、或いはビジネスパーク、政府センター、リサーチセンター、又はメディカルセンターなどのローカルな地理的範囲内に存在する単一のエンティティの管理下にある自律ネットワークとして定義される。ネットワークは単一のエンティティによって管理することができるが、様々な組織により使用することができる。キャンパスネットワークは、都市エリアネットワーク又はインターネットなどのより大きなネットワークへのアクセス経路を提供することができる。この使用例は、キャンパスネットワークのパブリックセルラモバイルネットワークへの統合を示す。
【００８２】
使用例
この使用例では、（単複の）キャンパスネットワークの管理者及び（単複の）携帯電話事業者は、ローカルな地理的範囲内でＬＴＥピコ／マイクロセルを使用することにより、コミュニティメンバーをターゲットとする安価な／無料のコール及び高性能ローカルデータアクセスを使用したパブリックセルラモバイルネットワーク及びキャンパスネットワークへのアクセスを提供するためのＬＴＥの展開に同意しているものとする。
【００８３】
キャンパスエリア内のＬＴＥセルは、パブリックアクセスに対して、運営者の（単複の）ＰＬＭＮの一部としてオープンである。運営する携帯電話事業者の加入者、或いはローミングパートナの加入者であるあらゆるユーザが、従来のＳＡＥベアラサービスをキャンパスエリア内で使用することができる。登録済みのコミュニティメンバーは、自身のＬＴＥ端末を使用して、安価な長距離コール、無料ローカルコール、及びキャンパスネットワーク及びインターネットへの高性能データアクセスを享受することができる。
【００８４】
前提条件
キャンパスエリアでＬＴＥピコ／マイクロセルを利用するローカル無線ネットワークは、適正な受信範囲、容量を提供して干渉を最小にするために、携帯電話事業者２００によりプラニングされる。必要に応じて、ローカルキャンパスネットワークは、同じ地理的範囲内のマクロオーバーレイとは異なる周波数を使用することができる。また、既存のマクロオーバーレイセルをローカルアクセスに使用することもできる。ローカルネットワークに使用する周波数を複数の携帯電話事業者が共有できることは、これらの例示的な実施形態の範囲内にある。
【００８５】
ローカルキャンパスネットワーク内のＬＴＥピコ／マイクロセルへのアクセスはデフォルトではパブリックであるため、ＯＡＭ（操作及びメンテナンス）センターの運営者は、これらのセルの固有のＴＡにグループ化されたパブリックセルを作成することができる。この場合、キャンパスネットワーク範囲内の正規のセルラ加入者は、ローカルネットワーク内のセルにキャンプオンすることができる。ＴＡの無線範囲は、一般ユーザの大半が登録済みのコミュニティメンバーであり、残りが不定期又は常連のビジターとなるように、キャンパスエリアに制限されることが好ましい。
【００８６】
キャンパスネットワークの（単複の）管理者及び（単複の）運営者は、ポータル２９０を利用して、キャンパスネットワークへのローカルアクセスを取得して、例えばローカルＬＴＥアクセスを使用して安価な長距離コールを享受することができるコミュニティメンバーとコミュニティへのビジターとでユーザ情報を交換する。
【００８７】
運営者は、例えば、ＳＭＳメッセージングを使用することにより、ビジターに属するＵＥ２１０に一時的なローカルアクセス権を取得するように手配することができる。許可されたアクセス権は、ローカルインターネットアクセス（及び安価な長距離コール）のみが可能なように制限するなど、一時的ビジターとは異なるものにすることができる。
【００８８】
説明
（ＬＴＥ対応ＵＥ２１０などの）ＬＴＥ端末を有するコミュニティメンバーは、及びキャンパスネットワークにおいてＬＴＥサービスを提供する携帯電話事業者又は携帯電話事業者のローミングパートナへの加入により、キャンパスエリア内のローカルＬＴＥサービスに登録されたユーザとして参加できるようになる。キャンパスネットワークの管理者は、ポータル２９０を使用してユーザをデータベース２８０、及び運営者の加入データベース３００に入力し、或いはユーザ自身が、キャンパスエリア内のＵＥ２１０に対するローカルアクセス権を取得するために提供される命令により、ＳＭＳメッセージなどのメッセージを送信する。
【００８９】
所定の命令及び／又は（ＳＭＳなどにより）受信した構成データによって、ユーザは、ローカルＩＰブレイクアウトサービスへの自動（又は手動）ネットワークエントリを実行するように（例えば、キャンパスネットワークへの安価なローカルコール及びダイレクトデータアクセスを取得するように）ＵＥ２１０を構成できるようになる。また、通常のＳＡＥベアラサービスを使用した安価な長距離コールも可能になる。
【００９０】
事後条件
ユーザが認証され、ローカルＩＰアドレスを取得し、ユーザの（ＬＴＥ対応ＵＥ２１０などの）ＬＴＥ端末を使用してキャンパスネットワークに接続されると、ユーザは、キャンパスネットワークの管理者及び携帯電話事業者が提供するサービスを受信する機会を得ることができるようになる。
【００９１】
キャンパスネットワークへのユーザ認証及び許可は、キャンパスネットワーク内のローカルＡＡＡサーバへ向けたローカルＩＰブレイクアウトへのネットワークエントリ手順の一部として実行する必要がある点に留意されたい。ローカル認証が失敗した場合、ユーザは、ｅＮＢ２２０によるローカルＩＰブレイクアウトサービスの取得が阻止される。ＵＥ２１０がキャンパスエリアから移動した場合、マクロ層へのハンドオーバが実行され、ユーザは、キャンパスネットワークから手動で離脱することができる。
【００９２】
キャンパスネットワーク内の局所的サービスと平行して従来のＳＡＥベアラサービスも常に利用できるので、緊急コール、位置決め、及び合法的な傍受などの規制問題が従来のネットワークの場合のようにサポートされる点に留意されたい。
【００９３】
コミュニティメンバーは、キャンパスネットワークに接続された場合（ＨＳＳ及び運営者のコアネットワーク内のロケーション登録が常に最新である場合）、ＳＡＥベアラサービスを使用する通常のネットワーク発信コール／サービスによりアクセス可能となる。また、ユーザは、最適にルーティングされた無料の（ＶｏＩＰ／データなどの）ＵＥ対ＵＥ通信サービスをキャンパスエリア内でローカルに享受することができる。キャンパスエリア内のユーザの大部分は登録コミュニティメンバーであるため、ＬＴＥセルがＰＬＭＮの一部として一般加入者と共有されるとしても、ユーザの大部分はローカルアクセスにおいて高いｅ２ｅ性能から恩恵を受けることができる。
【００９４】
使用例：ＬＴＥピコセルを使用したフェアセンター展開シナリオ
使用例
フェアセンター事務局及びネットワーク運営者は、フェアセンターエリアでＬＴＥピコセル／ｅＮＢを利用するビジターにインターネットサービス及び安価な／無料のコールを提供するためのＬＴＥの展開に同意している。これらのＬＴＥピコセルを介して提供されるサービスは、マクロネットワークオーバーレイを介して提供されるサービスとは異なるものとすることができ、同様に価格も異なるものとすることができる。このため、及び拡張性能を提供するために、フェアトレードのネットワーク内のＬＴＥピコセルは制限されたアクセスによって動作することができ、この場合、フェアセンターエリア近傍の及びフェアエリアの範囲内の一般のネットワーク加入者は、フェア事務局／ＬＴＥ運営者による許可及びユーザインタラクションが無ければクローズドローカルネットワークに参加することができない。許可されていないユーザ、或いは許可を有するがフェアエリア内のローカルサービスに参加していない又は参加に関心がないユーザは、通常通り（ＬＴＥセルラネットワークなどの）マクロオーバーレイからのパブリックサービスの使用を継続することができる。許可を与えられたビジター、及びフェアセンターエリア内におけるローカライズしたサービスの消費を要求するビジターのみが、フェアセンターエリア内でローカライズしたサービスを消費することができる。フェアセンターを、ユーザグループの会議、セミナー、プロモーションイベント、ミーティングなどを含むあらゆる種類の集会にも関連付けることができる点に留意されたい。
【００９５】
前提条件
マクロオーバーレイに干渉することなく適正な受信範囲及び容量を提供するために、フェアセンターエリア内でＬＴＥピコセルを利用するローカル無線ネットワークがプラニングされ、このネットワークは、必要に応じてマクロオーバーレイと異なる周波数を使用することができる。ローカルネットワークは、場合に応じて恒久的な又は一時的な導入とすることができる。
【００９６】
ローカルフェアセンターネットワーク内のＬＴＥピコセルへのアクセスはデフォルトでは制限されているので、ＯＡＭセンター内の運営者は、ＣＳＧネットワーク、又は固有のＴＡにグループ化されたパブリックセルを作成することができる。後者の場合、一般加入者がローカルネットワーク内のセルにキャンプオンすることを避けるために、セルの禁止状態がオンに設定される。これに関して、ローカルネットワークの無線範囲を一般大衆にはオープンでないフェア又は複合体という前提に制限することにより、ローカルエリアセルにキャンプオンしようとする可能性のある一般加入者の数を制限する点に留意されたい。
【００９７】
フェア事務局／運営者は、ビジターがフェアセンターネットワークへ入るのに必要な数の一時的ユーザ識別子を作成すると考えられる。ビジターに与えられる入場チケット又はその他の資料に、一時的ユーザ識別子を取得するための情報をプリントすることができる。運営者は、ＳＭＳメッセージングを使用することなどにより、ＵＥ２１０の一時的ローカルアクセス権を取得するための手段を手配することができる。
【００９８】
説明
フェアが開催された場合、フェア事務局及びネットワーク運営者によるローカルＬＴＥサービスを消費したいと思うビジターは、ビジターのＵＥ２１０に対する一時的ローカルアクセス権を取得するために提供される命令に従って、マクロセルを介してＳＭＳメッセージなどのメッセージを送信する。この時点で、ユーザはＣＳＧグループのメンバーになるか、又は禁止セル内の許可ＵＥリストに追加される。この後、ユーザは、フェアセンターエリア内でローカライズしたＬＴＥサービスを消費するために、手動でローカルフェアセンターネットワークを選択することができる。セキュリティ、ハンドオーバなどに関する上述した様々な問題も、この特定の使用例に等しく適用される。
【００９９】
ローカルフェアセンターネットワークは、マクロオーバーレイネットワークと同じ周波数であっても又は異なる周波数であってもよい点に留意されたい。この使用例では、解決すべき問題は、一時的ユーザをＣＳＧグループに、又は許可ＵＥを禁止セルにどのように追加するのが最良かということのみであるため、ＣＳＧの又はＣＳＧのような概念を導入せずにサポートできる点にも同様に留意されたい。
【０１００】
理解できるように、これらの例示的な実施形態の使用の結果得られる１つの利点は、既存の移動性制御メカニズムを応用して３ＧＰＰにおける最小限の標準化努力によって様々な新しい使用例及びビジネス例を可能にできる点である。
【０１０１】
上記に基づいて、本発明の例示的な実施形態が、セルラネットワーク運営者のマクロセルによりサービスを受けるエリアに含まれるローカライズした地理的範囲内のセルへのアクセスをＵＥ２１０に提供するための方法、装置、及び（単複の）コンピュータプログラムを提供することが明白となろう。
【０１０２】
図７を参照すると、方法が、クローズドサブスクライバグループシグナリングビットがオフのセルラネットワーク基地局を動作させるステップ（ブロック７Ａ）と、ＵＥが現在位置する場所におけるローカルサービスエリアネットワークの利用可能性をＵＥに通知するための情報をＵＥへ送信するステップ（ブロック７Ｂ）とを含む。
【０１０３】
前段落の方法では、ＵＥへ情報を送信するステップが、トラッキングエリア更新手順の１つを使用して、アイドル状態からアクティブ状態への移行手順の一部として、又は基地局間ハンドオーバ手順の一部として行われる。
【０１０４】
前段落の方法では、ローカルサービスエリアネットワークが、少なくともローカルネットワークエリアのローカルサーバとの間でデータをやりとりするためのＩＰブレイクアウトサービスをＵＥに提供する。
【０１０５】
前段落の方法では、ローカルサービスエリアネットワークが、少なくともインターネットを介して到達可能な遠隔サーバとの間でデータをやりとりするためのＩＰブレイクアウトサービスをＵＥに提供する。
【０１０６】
前段落の方法では、ローカルサービスエリアネットワークが、少なくともコストを削減したコーリングサービスをＵＥに提供する。
【０１０７】
前段落の方法では、ローカルサービスエリアネットワークの基地局が、セルラネットワーク基地局と同じキャリア周波数を使用する。
【０１０８】
前段落の方法では、ローカルサービスエリアネットワークの基地局が、セルラネットワーク基地局と異なるキャリア周波数を使用する。
【０１０９】
前段落の方法では、ローカルサービスエリアネットワークの運営者が、ＵＥがローカルサービスエリアネットワークの運営者への登録を望んでいることを示すメッセージをＵＥから受信する。
【０１１０】
前段落の方法では、ローカルサービスエリアネットワークの運営者が、メッセージの受信に応答して、ローカルデータベース、及びポータルを介して通信されるセルラネットワーク運営者のデータベースを使用してＵＥを認証する。
【０１１１】
さらに、これらの例示的な実施形態によれば、及び図８を参照すると、方法が、クローズドサブスクライバグループシグナリングビットがオフのセルラネットワーク基地局から、ＵＥが現在位置する場所におけるローカルサービスエリアネットワークの利用可能性を通知する情報をＵＥにおいて受信するステップ（ブロック８Ａ）と、ローカルサービスエリアネットワークの運営者にＵＥが登録したいと望んでいることを示すための情報をローカルサービスエリアネットワークの運営者へ送信するステップ（ブロック８Ｂ）とを含む。
【０１１２】
前段落の方法では、ＵＥにおいて情報を受信するステップが、トラッキングエリア更新手順の１つの最中に、アイドル状態からアクティブ状態への遷移手順の一部として、又は基地局間ハンドオーバ手順の一部として行われる。
【０１１３】
前段落の方法では、ローカルサービスエリアネットワークが、少なくともローカルネットワークエリアのローカルサーバとの間でデータをやりとりするためのＩＰブレイクアウトサービスをＵＥに提供する。
【０１１４】
前段落の方法では、ローカルサービスエリアネットワークが、少なくともインターネットを介して到達可能な遠隔サーバとの間でデータをやりとりするためのＩＰブレイクアウトサービスをＵＥに提供する。
【０１１５】
前段落の方法では、ローカルサービスエリアネットワークが、少なくともコストを削減したコーリングサービスをＵＥに提供する。
【０１１６】
前段落の方法では、ＵＥが、セルラネットワークの基地局と同じキャリア周波数を使用するローカルサービスエリアネットワークの基地局を使用して動作する。
【０１１７】
前段落の方法では、ＵＥが、セルラネットワーク基地局とは異なるキャリア周波数を使用するローカルサービスエリアネットワークの基地局使用して動作する。
【０１１８】
前段落の方法では、ＳＭＳメッセージを使用してローカルサービスエリアネットワークの運営者へ情報が送信される。
【０１１９】
前段落の方法では、ローカルサービスエリアネットワークの運営者が、メッセージの受信に応答して、ローカルデータベース、及びポータルを介して通信されるセルラネットワーク運営者のデータベースを使用してＵＥを認証する。
【０１２０】
さらに、これらの例示的な実施形態によれば、及び図９を参照すると、方法が、ローカルサービスエリア内にＵＥを登録するためのメッセージによる要求をローカルサービスエリアネットワークにおいてＵＥから受信するステップ（ブロック９Ａ）と、ローカルデータベース、及びポータルを介して通信されるセルラネットワーク運営者のデータベースを使用してＵＥを認証するステップ（ブロック９Ｂ）とを含む。
【０１２１】
前段落の方法では、ローカルサービスエリアネットワークが、少なくともローカルネットワークエリアのローカルサーバとの間でデータをやりとりするためのＩＰブレイクアウトサービスをＵＥに提供する。
【０１２２】
前段落の方法では、ローカルサービスエリアネットワークが、少なくともインターネットを介して到達可能な遠隔サーバとの間でデータをやりとりするためのＩＰブレイクアウトサービスをＵＥに提供する。
【０１２３】
前段落の方法では、ローカルサービスエリアネットワークが、少なくともコストを削減したコーリングサービスをＵＥに提供する。
【０１２４】
前段落の方法では、ローカルサービスエリアネットワークの基地局が、セルラネットワーク基地局と同じキャリア周波数を使用する。
【０１２５】
前段落の方法では、ローカルサービスエリアネットワークの基地局が、セルラネットワーク基地局と異なるキャリア周波数を使用する。
【０１２６】
前段落の方法では、要求がＳＭＳメッセージで受信される。
【０１２７】
図７、８及び９に示す様々なブロックは、方法ステップ、及び／又はコンピュータプログラムコードの動作の結果生じる動作、及び／又は（単複の）関連する機能を実行するように構成された複数の結合論理回路要素と見なすことができる。したがって、様々な方法ステップを達成するために様々な手段が提供される。
【０１２８】
一般に、様々な例示的な実施形態を、ハードウェア又は専用回路、ソフトウェア、論理回路、又はこれらのあらゆる組み合わせの形で実現することができる。例えば、ハードウェアの形で実現できる態様もあれば、コントローラ、マイクロプロセッサ、又はその他のコンピュータ装置により実行できるファームウェア又はソフトウェアの形で実現できる態様もあるが、本発明はこれらに限定されるものではない。本発明の例示的な実施形態の様々な態様をブロック図、フロー図、又は他の何らかの図的記述を使用して示し説明することができるが、本明細書で説明したこれらのブロック、装置、システム、技術、又は方法を、非限定的な例として、ハードウェア、ソフトウェア、ファームウェア、専用回路又は論理回路、汎用ハードウェア又はコントローラ又はその他のコンピュータ装置、又はこれらのいくつかの組み合わせの形で実行できることが十分に理解される。
【０１２９】
したがって、本発明の例示的な実施形態の少なくともいくつかの態様を集積回路チップ及びモジュールなどの様々な構成要素の形で実装できることを理解されたい。
【０１３０】
添付図面と共に上述の説明を読めば、上述の説明に照らして当業者には本発明の上述の例示的な実施形態への様々な修正及び適応が明らかになるであろう。しかしながら、あらゆる修正は本発明の非限定的な及び例示的な実施形態の範囲に含まれる。
【０１３１】
例えば、例示的な実施形態について、主としてＥ−ＵＴＲＡＮ（ＵＴＲＡＮ−ＬＴＥ）システムとの関連において上記で説明したが、本発明の例示的な実施形態が、この１つの特定の種類の無線通信システムのみとの使用に限定されないこと、及び本発明の例示的な実施形態を使用して他の無線通信システムで役立てることができることを理解されたい。
【０１３２】
「接続された」、「結合された」という用語、又はこれらのあらゆる変形は、２又はそれ以上の要素間の直接的又は間接的のいずれかの形のあらゆる接続又は結合を意味し、互いに「接続」又は「結合」された２つの要素間における１又はそれ以上の中間要素の存在を含むことができる点に留意されたい。要素間の結合又は接続は、物理的なもの、論理的なもの、或いはこれらの組み合わせであってもよい。本明細書で使用する場合、２つの要素は、１又はそれ以上の電線、ケーブル及び／又はプリント電子接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより互いに「接続」又は「結合」されると考えることができる。
【０１３３】
さらに、本発明の様々な非限定的な例示的な実施形態の特徴の一部を、その他の特徴を対応して使用することなく有利に使用することができる。したがって、上述の説明は、本発明の原理、教示及び例示的な実施形態を例示したものにすぎず、これらを限定するものではないと見なすべきである。
【図１】
2011504716.tif 000003
【図２】
2011504716.tif 000004
【図３】
2011504716.tif 000005
【図４】
2011504716.tif 000006
【図５】
2011504716.tif 000007
【図６】
2011504716.tif 000008
【図７】
2011504716.tif 000009
【図８】
2011504716.tif 000010
【図９】
2011504716.tif 000011
【国際調査報告】
2011504716.tif 000012
2011504716.tif 000013